(57)【要約】  【課題】  熱中症を予防することができるとともに、冷却服を着た直後から十分な冷却能力を発揮できる冷却服装置を提供する。  【解決手段】  冷却用の冷媒が循環する冷媒通路９と、冷却液を収容するとともに前記冷却液の熱吸収を行うように冷媒通路９の熱吸収冷媒管部９ａが配設される冷却液収容室８と、冷却液収容室８内の冷却液を冷却管２内で循環させるポンプ１２と、冷却管２がその内側に設けられた冷却服とを備えており、冷却液収容室８内の冷却液に熱吸収冷媒管部９ａが浸かるように配設され、冷却液収容室８に収容物１８と熱吸収冷媒管部９ａの衝突などの干渉を防止する区画部材１９が設けられている。【選択図】  図３
2015145745.tif 000002
【特許請求の範囲】
【請求項１】
冷却用の冷媒が循環する冷媒通路(９)と、前記冷媒の放熱を促進する放熱機(１０)と、冷却液を収容するとともに前記冷却液の熱吸収を行うように前記冷媒通路(９)の熱吸収冷媒管部(９ａ)が配設される冷却液収容室(８)と、前記冷媒を前記冷媒通路(９)内で液化、気化させるように繰り返し循環させるコンプレッサ(１１)と、前記冷却液収容室(８)内の冷却液を冷却管(２)内で循環させるポンプ(１２)と、前記冷却管(２)がその内側に設けられた冷却服(１)とを備えており、
前記冷却液収容室(８)内に冷却液を入れたときに、前記熱吸収冷媒管部(９ａ)が冷却液に浸かるように前記熱吸収冷媒管部(９ａ)が配設され、
前記冷却液収容室(８)には収容物(１８)を収容できる収容空間(２４)が形成されており、使用者が前記収容空間(２４)を密閉した状態と、開放した状態を選択でき、前記収容物(１８)を出し入れ可能にする開閉部(２５)が設けられており、
前記冷却液収容室(８)に前記収容物(１８)と前記熱吸収冷媒管部(９ａ)の衝突などの干渉を防止する区画部材(１９)が設けられていることを特徴とする冷却服装置。
【請求項２】
請求項１に記載の冷却服装置において、前記冷却液収容室(８)の冷却液が流れる前記冷却管(２ａ)と、前記冷却服(１)の前記冷却管(２ｂ)とを着脱自在に接続する接続部(１３)を備えている冷却服装置。
【請求項３】
請求項２に記載の冷却服装置において、前記接続部(１３)が非接続状態であるときは前記コンプレッサ(１１)と前記ポンプ(１２)の駆動を中止するスイッチ(１５)を設けた冷却服装置。
【請求項４】
請求項３に記載の冷却服装置において、前記スイッチ(１５)を磁気スイッチで構成し、前記冷却服(１)側のコネクタ具(１４ｂ)に磁石(４９)を取り付けて、前記磁石(４９)の接近、離隔によって前記スイッチ(１５)のオンオフが機能するように構成し、さらに、前記冷却服(１)の所定位置に前記冷却服(１)側の磁石(５１)を固定して、前記磁石(５１)に前記コネクタ具(１４ｂ)の前記磁石(４９)を引っ付けることによって、前記冷却服(１)に前記冷却服１に付随する前記冷却管(２ｂ)を保持するように構成した冷却服装置。
【請求項５】
請求項１〜請求項４のいずれかに一項に記載の冷却服装置において、前記冷却液収容室(８)の周囲に断熱用の真空室(２６)を設けた冷却服装置。
【請求項６】
請求項１〜請求項５のいずれかに一項に記載の冷却服装置において、前記冷却服(１)を自動二輪(３２)用とし、前記放熱機(１０)、前記コンプレッサ(１１)、前記ポンプ(１２)及び前記冷却液収容室(８)を有する冷却駆動装置(４３)を前記自動二輪(３２)に固定し、少なくとも前記コンプレッサ(１１)を駆動する電源を前記自動二輪(３２)のバッテリー(４８)から供給するように構成した冷却服装置。
【請求項７】
請求項６に記載の冷却服装置において、前記自動二輪(３２)の後部位置(３３)に着脱自在に取り付ける着脱固定部材(３０)を前記冷却駆動装置(４３)が備え、前記冷却駆動装置(４３)の外形を流線形のフード(２７)で覆った冷却服装置。
【請求項８】
請求項７に記載の冷却服装置において、前記自動二輪(３２)の走行時に発生する風(５０)を前記フード(２７)の内部に導く送風口(３７)を設けるとともに、その風(５０)を前記放熱機(１０)の回りに導く送風路(３４)を形成した冷却服装置。
【発明の詳細な説明】
【技術分野】
【０００１】
本発明は、服などの内面に水などの冷却液が流れる冷却管を設けた実用的な冷却服装置に関する。
【背景技術】
【０００２】
従来から、身体を冷却する冷却服が各種提案されている。
例えば、特許文献１の防熱用作業着は、４０℃程度の高温雰囲気下でも冷却性能を発揮するドライアイスを用い、このドライアイスの冷気を供給する方式である。この防熱用作業着は、パイプの内側から外側に向って冷風の噴出が可能な冷気パイプと、冷気パイプに接続されたドライアイスを収納するためのドライアイス収納容器と、ドライアイスの冷気を冷気パイプに供給するためのファンを備えたことを特徴としている。
【０００３】
上記従来技術であれば、送風ファンを服などに取り付け、外気風を服内部に送風して体温を冷す構成の冷却服に比べて外気温度等の条件に左右されず、確実に冷却できることが予想される。
【先行技術文献】
【特許文献】
【０００４】
【特許文献１】実開平６−５９４１２
【発明の開示】
【発明が解決しようとする課題】
【０００５】
しかしながら、上記特許文献１に開示された冷却服は、ドライアイス収納容器が必要になり、冷却液が循環するものではないため、作業毎に新しいドライアイスを必要とすることから運用コストが高くなる課題があった。
また、自動二輪を運転する運転者は、転倒時に運転者を守る防護服の体温が外部に放出されにくく、特に夏期に防護服内の温度が上昇して運転者に不快感・疲労感を与えることが知られていた。しかし、この運転者が感じる防護服内の高温を軽減することができる実用的な方法はないのが現状であった。
このため熱中症などの症状を引き起こして問題となっていた。
【０００６】
本発明の目的は上記従来技術の課題を解決して、高温作業場用の冷却服や自動二輪の防護服などに適用できる実用的な冷却服装置を提供することにある。
具体的な目的の一例を示すと、以下の通りである。
（ａ）冷却服を着た直後から十分な冷却能力を発揮できる冷却服装置を提供する。
（ｂ）自動二輪の運転者や必要に応じて同乗者に対して、長時間安定して体温を冷すことができる冷却服装置を提供する。
（ｃ）自動二輪の運転者に対して、運転者の体温を冷す冷却服とともに冷たい飲料や食べ物を提供できる冷却服装置を提供する。
なお、上記に記載した以外の発明の課題、その解決手段及びその効果は、後述する明細書内の記載において詳しく説明する。
【課題を解決するための手段】
【０００７】
本発明は多面的に表現できるが、例えば、代表的なものを挙げると、次のように構成したものである。なお、下記各発明において、各符号は後述する実施形態との対応関係を分かりやすくするために一例として示したものであり、本発明の各構成要素は、実施形態に記載した符号に係る構成に限定されないことは言うまでもない。
【０００８】
本発明の冷却服装置は、冷却用の冷媒が循環する冷媒通路９と、前記冷媒の放熱を促進する放熱機１０と、冷却液を収容するとともに前記冷却液の熱吸収を行うように前記冷媒通路９の熱吸収冷媒管部９ａが配設される冷却液収容室８と、前記冷媒を前記冷媒通路９内で液化、気化させるように繰り返し循環させるコンプレッサ１１と、前記冷却液収容室８内の冷却液を冷却管２内で循環させるポンプ１２と、前記冷却管２がその内側に設けられた冷却服１とを備えており、
前記冷却液収容室８内に冷却液を入れたときに、前記熱吸収冷媒管部９ａが冷却液に浸かるように前記熱吸収冷媒管部９ａが配設され、
前記冷却液収容室８には収容物１８を収容できる収容空間２４が形成されており、使用者が前記収容空間２４を密閉した状態と、開放した状態を選択でき、前記収容物１８を出し入れ可能にする開閉部２５が設けられており、
前記冷却液収容室８に前記収容物１８と前記熱吸収冷媒管部９ａの衝突などの干渉を防止する区画部材１９が設けられていることを特徴とする。
この構成であれば、コンプレッサを駆動することで冷蔵庫と同じ原理で熱吸収冷媒管部によって冷却液収容室内の冷却液が冷却され、冷却管が内側に設けられた冷却服の内部温度を下げることができる。しかも、冷却液収容室内の冷却液に熱吸収冷媒管部が浸かるように配設されているので、少ない電力で効率的に冷却液を冷すことができる。
この構成では、氷水又は液体を凍らせたペットボトル等の収容物を収容空間内に入れることによって、冷却液収容室の冷却液をコンプレッサの駆動にかかわらず急速に冷すことができて、使用する最初から冷却服に冷却効果を与えるクイックスタートを実現することができる。
また、副次的な効果として、収容空間内に飲み物、食べ物等の収容物を入れることによって、その収容物を冷す用途にも用いることができる。
【０００９】
上記本発明において、前記冷却液収容室８の冷却液が流れる前記冷却管２ａと、前記冷却服１の前記冷却管２ｂとを着脱自在に接続する接続部１３を備えることもできる。
この構成であれば、冷却液収容室の冷却液が流れる冷却管と冷却服の冷却管との接続を着脱自在にすることができ、冷却服を着た装着者の動きの自由度を向上させることができる。
【００１０】
上記本発明において、前記接続部１３が非接続状態であるときは前記コンプレッサ１１と前記ポンプ１２の駆動を中止するスイッチ１５を設けることもできる。
この構成であれば、接続部の接続状態と非接続状態に応答するスイッチを設けるという簡単な方法でバッテリーが消耗するという問題を解決することができる。
また、一構成例として、本発明を自動二輪に使用する冷却服に適用した場合には、スイッチを設けることで、自動二輪の運転者が自動二輪から離れた状態でコンプレッサやポンプを駆動しつづけてしまって自動二輪のバッテリーが消耗して自動二輪が走行できなくなるという不都合の発生を防止することができる。
【００１１】
上記本発明において、前記スイッチ１５を磁気スイッチで構成し、前記冷却服１側のコネクタ具１４ｂに磁石４９を取り付けて、前記磁石４９の接近、離隔によって前記スイッチ１５のオンオフが機能するように構成し、さらに、前記冷却服１の所定位置に前記冷却服１側の磁石５１を固定して、前記磁石５１に前記コネクタ具１４ｂの前記磁石４９を引っ付けることによって、前記冷却服１に前記冷却服１に付随する前記冷却管２ｂを保持するように構成することもできる。
この構成であれば、冷却服側の冷却管の先端であるコネクタ具が冷却服に保持されるので、冷却服側の冷却管が長々と引きずるように垂れ下がることを抑制することができる。
また、コンプレッサとポンプの駆動を中止するスイッチの機能と冷却服側の冷却管が長々と引きずるように垂れ下がることを抑制する機能とを簡単な構成で実現できて、使いやすい冷却服を提供できる。
【００１２】
上記本発明において、前記冷却液収容室８の周囲に断熱用の真空室２６を設けることもできる。
この構成であれば、真空室を設けることで冷媒通路によって冷却された冷却液が外気温度によって上昇することを抑制することができる。
【００１３】
上記本発明において、前記冷却服１を自動二輪３２用とし、前記放熱機１０、前記コンプレッサ１１、前記ポンプ１２及び前記冷却液収容室８を有する冷却駆動装置４３を前記自動二輪３２に固定し、少なくとも前記コンプレッサ１１を駆動する電源を前記自動二輪３２のバッテリー４８から供給するように構成することもできる。
この構成であれば、重量のある放熱機、コンプレッサ及び冷却液収容室を自動二輪の所定部分に固定し、コンプレッサを駆動する電源を自動二輪のバッテリーから供給するように構成したことで、自動二輪の運転者に背負うような負担を掛けることなく、冷却服を安定して冷却することができる。
【００１４】
上記本発明において、前記自動二輪３２の後部位置３３に着脱自在に取り付ける着脱固定部材３０を前記冷却駆動装置４３が備え、前記冷却駆動装置４３の外形を流線形のフード２７で覆うこともできる。
この構成であれば、着脱固定部材によって、同乗者が乗る後部座席や荷物搭載位置などの後部位置に冷却駆動装置に取り付ける構成を採用したので、既存の自動二輪の多くに搭載することができる。
また、自動二輪の後部位置に冷却駆動装置を配設した場合でも気流の乱れを抑制して燃費が良くなると共にコンプレッサや配管等が露出しないので、外観を良くすることができる。
【００１５】
上記本発明において、前記自動二輪３２の走行時に発生する風５０を前記フード２７の内部に導く送風口３７を設けるとともに、その風５０を前記放熱機１０の回りに導く送風路３４を形成することもできる。
この構成であれば、送風路によって冷媒の放熱の効率を向上させることができる。
【発明の効果】
【００１６】
以上説明したように、本発明であれば、冷却服を着た直後から十分な冷却能力を発揮できる冷却服装置を提供できた。また、自動二輪の運転者や必要に応じて同乗者に対して、長時間安定して体温を冷すことができる冷却服装置を提供できた。さらに、自動二輪の運転者に対して、運転者の体温を冷す冷却服とともに冷たい飲料や食べ物を提供できる冷却服装置を提供できた。
【図面の簡単な説明】
【００１７】
【図１】本発明の第１実施形態を示す冷却服の正面図である。
【図２】本発明の第１実施形態を示す冷却服の内側の展開図である。
【図３】本発明の第１実施形態を係る冷却装置の概略ブロック図である。
【図４】本発明の第１実施形態を説明するための図であり、冷却装置の冷却駆動装置を自動二輪の後部位置に搭載した状態を示す概略側面図である。
【図５】（ｂ）は本発明の第２実施形態における冷却駆動装置の模式側面図、（ｂ）はその模式平面図である。
【図６】本発明において冷却管を保持する形態の一例を示した冷却服の正面図である。
【発明を実施するための形態】
【００１８】
［第１実施形態］
以下、本発明に係る冷却服装置の第１実施形態について、図面に基づき説明する。
本発明に係る自動二輪用の冷却服装置４５は、大別すると、図１及び図２に示される冷却服１と、その冷却服１に冷やされた冷却液を送るとともに装着者の体温で温度の上昇した冷却液を再び冷却する冷却駆動装置４３（図３参照）とを有している。
冷媒としてはフロン等の熱交換に優れる流体が使用される。
冷却液としては水が安価であり、人体にも安全なので好適であるが、その他の液体であっても良い。
【００１９】
（冷却服の構成）
図１及び図２に示すように、本実施形態に示す冷却服１は、冷却管２が内面に取り付けられた衣服で構成してある。冷却服１は、左右の腕部３と、服を脱ぐための線形ファスナー４を前面４１に備えた胴体側冷却服７と、頭部を覆う頭部収容部６とを有している。
【００２０】
冷却服１は、腕部３、胴体側冷却服７、頭部収容部６の全てに冷却管２が設けられた構成を採用することもできる。また、腕部３や頭部収容部６に冷却管２を設けることを省略して胴体側冷却服７だけに冷却管２ｂを設ける構成も採用することができる。なお、本明細書において、冷却服１とは腕部３がないチョッキ形のものも含む。
図２に示すように、柔軟性のある衣服布材の前面４１と背面４２の内面側に柔軟性のある冷却管２ｂが縫い付けの方法などによって取り付けてある。
このような柔軟性のある冷却管２ｂとしてシリコンチューブ等が例示できる。冷却管２ｂは冷却服１内で一つの循環経路を形成している。
冷却管２ｂを流れる冷却液は胴部下部の冷却管取出し部４７から背面４２側に導入され、前面４１、頭部収容部６、必要により腕部３を冷した後、冷却管取出し部４７から排出され、冷却駆動装置４３へ戻される。
なお、図１においては頭部収容部６に設けられた冷却管２ｂを白抜き線で示してある。
【００２１】
（冷却駆動装置の構成）
図３に示すように、この実施形態に係る冷却駆動装置４３は、２つの流体の循環流路を有している。
第１の循環流路は冷媒を循環させる冷媒通路９で構成されているもので、その流路経路中に冷却液収容室８の熱を吸収する熱吸収冷媒管部９ａと、コンプレッサ１１と、放熱機１０とを有している。普通の矢印３９で冷媒の流れを示している。
これらの冷媒、冷媒通路９、熱吸収冷媒管部９ａ、コンプレッサ１１、放熱機１０の各機能は、一般的な冷蔵庫に採用される各要素の機能と同様である。
第２の循環流路は、冷却液収容室８を有する冷却駆動装置４３側の冷却管２ａと、冷却服１内を冷却する冷却管２ｂとから構成されている。冷却液収容室８に冷却液の吸込口２１と吐出口２２を設けるとともに冷却駆動装置４３側に送出用のポンプ１２を有している。白抜きの矢印４０で冷却液の流れを示している。
【００２２】
また、冷却駆動装置４３側の冷却管２ａと冷却服１側の冷却管２ｂとの着脱を行う接続部１３が設けられ、その接続部１３が接続状態であるときはコンプレッサ１１及びポンプ１６を駆動状態に維持し、接続部１３が非接続状態であるときはコンプレッサ１１及びポンプ１６を停止状態にするスイッチ１５が設けてある。
なお、接続部１３が接続状態であっても駆動スイッチ（図示せず）を押した場合にのみ、コンプレッサ１１及びポンプ１６を駆動する構成にすることもできる。スイッチ１５としては接触スイッチ、磁気スイッチ等の各種のスイッチが採用できる。
図３に示す構成では、接続部１３を冷却駆動装置４３側の一対のコネクタ具１４ａと冷却服１側の一対のコネクタ具１４ｂによって着脱自在に構成してある。
【００２３】
この接続部１３及びスイッチ１５はともに冷却駆動装置４３側に取り付けることが好ましい。接続部１３が接続状態であるか非接続状態であるかを検出するにはその判別を検出するスイッチ１５の検出器（図示せず）を接続部１３に設ける必要があり、冷却装置４５から接続部１３までの距離が長いとその検出器まで配線を設ける必要があるからである。
冷却駆動装置４３側にスイッチ１５を設ける形態では、構成も簡単になり、長期間安定して動作する信頼性を高めることができる。
また、冷却駆動装置４３に固定された接続部１３に冷却服１側の冷却管２ｂを接続する構成の方が、接続部１３の位置が固定され分かりやすい。
【００２４】
（冷却液収容室の構成）
次に、冷却液収容室８の構成について説明する。
本実施形態の第１の特徴は、冷却液収容室８内の熱吸収冷媒管部９ａの配置構成をペットボトル１８ａなどの収容物１８が収まりやすいように配置したことを特徴としている。
収容物１８が収まりやすい熱吸収冷媒管部９ａの配置例として、収容物１８の外形にほぼ合致して収容物１８の外側を包囲する形態に熱吸収冷媒管部９ａを配設する形態がある。例えば、収容物１８の外形が円筒形であれば、図３に示すように、その円筒形を上下方向にほぼ大部分を覆うように熱吸収冷媒管部９ａを螺旋形に配設する構成が例示できる。
但し、この収容物１８の外側に熱吸収冷媒管部９ａを配設する形態は、収容物１８の形状に対応して各種の配設形態を取り得ることが明らかである。
【００２５】
本実施形態の第２の特徴は、収容物１８が冷却液収容室８内で、熱吸収冷媒管部９ａと衝突などして干渉しないようにする区画部材１９を備えた点にある。
区画部材１９の形態としては、大別して２つの形態がある。第１の形態は、自動二輪等の振動によって収容物１８が冷却液収容室８内で動かないようにする固定部材１９を設けることである。
例えば、収容物１８がペットボトル１８ａであれば、そのペットボトル１８ａの蓋部位置や底部位置を挟持部材、嵌め込み部材などによってしっかりと固定部材１９によって固定すれば、熱吸収冷媒管部９ａと衝突又は接触することもなく、冷却液収容室８内の収容物１８の位置を一定範囲に限定することができる。
【００２６】
区画部材１９の第２の形態としては、収容物１８のある程度の動きは許容して、冷却液収容室８内で熱吸収冷媒管部９ａと衝突しないようにする区画壁１９を設ける方法である。つまり、前記した収容物１８が位置する収容空間２４と熱吸収冷媒管部９ａが配設された空間とを空間的に区分けすることである。
この区分けは、熱吸収冷媒管部９ａと収容物１８の熱の授受という観点において、冷却液の移動を大きく阻害することがないような形状にすることが必要である。例えば、図３に示すように区画壁１９に冷却液の移動が良好に行えるように多数の開口３６が設けられたものが好ましい。
区画壁１９の一構成例として、図３に示すように、収容物１８の形状に対応した籠形の区画部材１９を設ける方法がある。
籠形の区画部材１９に収容物１８の側面を保持する固定部材１９や、収容物１８の上部を固定する固定部材１９を設ける構成も可能である。この場合は収容物１８を強力に保持できる。
【００２７】
区画部材１９には前記した冷却液収容室８内の所定位置に収容物１８を導くガイド部材２０を備えることもできる。
ガイド部材２０は、例えばペットボトル１８ａを所定の位置へ誘導する筒形部材で構成でき、区画部材１９の一部で構成することもできる。
【００２８】
また、区画部材１９内には、収容物１８を収容できる収容空間２４が形成されており、使用者がその収容空間２４を密閉した状態と、開放した状態を選択でき、前記収容物１８を出し入れ可能にする蓋部などの開閉部２５が設けられている。
開閉部２５の開閉構成としてはネジ作用の嵌合形やヒンジを利用した嵌合形などの各種の構成が取り得る。
【００２９】
また、この実施形態では、冷却液収容室８に冷却液の吸込口２１と吐出口２２は上下方向に離れた位置に設けてあり、冷された冷却液を吸込口２１から吸込み、ポンプ１２によって冷却服１側に送り、冷却服１からの暖かくなった冷却液を吐出口２２から冷却液収容室８内へ戻すように構成してある。
なお、吸入口２１は吐出口２２よりも冷却液収容室８内において、下方側に位置する構成の方が温度の低い冷却液を冷却服１側へ送出できるので好ましい。
また、冷却液収容室８の外周側に減圧した真空室２６を設けて、魔法瓶のように外部との断熱効果を高める構成となっている。
【００３０】
（自動二輪への搭載）
図４に示すように、この実施形態では、冷却駆動装置４３を自動二輪３２の後部位置３３に搭載可能に構成する。自動二輪３２のバッテリー４８等の電源からコンプレッサなどを駆動する電力を得るようにしている。この構成であれば、自動二輪３２の運転中にはバッテリー４８から安定して電力が供給されるので、冷却服１を着た運転者の冷却や収容物の冷却に十分な動力源を得ることができる。
【００３１】
また、自動二輪３２の前方から後方に向けて冷却駆動装置４３の外形を流線形のフード２７で覆っている。
フード２７内には冷却液収容室、コンプレッサ、放熱機やポンプなどの内部エレメント３８が配設されている。内部エレメント３８内の各構成は自動二輪３２に搭載可能なように小型化されており、自動二輪３２に搭載されるバッテリー４８の電力によって駆動できるように省電力化されている。
また、冷却駆動装置４３は着脱固定部材３０を備えており、後部位置３３に簡単かつ安定して取り付けることができるように構成してある。
なお、図４において符号３１はバッテリー４８から電力を取る電源線である。
【００３２】
（冷却服に付属する冷却管に関する工夫）
この実施形態では、図３において説明したように、スイッチ１５によってコネクタ具１４ａ・１４ｂの接続を検出してコンプレッサ１１等の駆動停止を制御するように構成した。この場合、冷却服１側の冷却管２ｂが冷却服１から垂れ下がり、引きずるように冷却服１を着た運転者等が動き回ることは冷却管２ｂの水が流れ出て服を濡らしたり、冷却管２ｂが破損したり、又は外見上、見苦しいという課題があった。
【００３３】
この課題を解決するために、この実施形態では２つの構成を採用する。
第１の構成は、スイッチ１５の構成に係るもので、スイッチ１５を磁気スイッチで構成し、冷却服１側のコネクタ具１４ｂに磁石４９を取り付けて、その磁石の接近、離隔によってスイッチ１５のオンオフが機能するように構成したことである。
第２の構成は、冷却服１の所定位置に磁石５１を固定して、その磁石５１に前記コネクタ具１４ｂの磁石４９を引っ付けることによって、冷却服１に冷却管２ｂを保持するように構成したことである。この構成によって、冷却服１から冷却管２ｂが引きずるように垂れ下がることを抑制できる。
【００３４】
冷却服１において磁石５１を取り付ける位置は図６に示すように、冷却服１の冷却管取出し部４７から離れた冷却服１の上側位置に設けることが好ましい。その理由は冷却管取出し部４７と磁石５１までの距離が長くなり、冷却服１から離れて垂れ下がる冷却管２ｂの長さを短くできるからである。
【００３５】
図６では一例として、冷却服１の胸位置に磁石５１を設けた構成が示してある。即ち、冷却服１の胸位置にポケット形の磁石収容部５２を設け、その磁石収容部５２内に磁石５１を収容する形態が示してある。この構成であれば、磁石５１の磁力は冷却服１を通過してコネクタ具１４ｂ側の磁石４９を保持する機能を果たすことができる。
この構成では、冷却服１側のコネクタ具１４ｂに磁石４９を設けることで、バッテリー４８が消耗することを抑制するためのスイッチ手段を構成する機能と、冷却服１に冷却管２ｂが垂れ下がって冷却液が流れ出ることを抑制する、及び冷却管２ｂが破損することを防止する機能を同時に実現することができ、実用上の効果は極めて大きいものである。
【００３６】
（動作の説明）
以下、簡単に動作や作用を説明する。
まず、自動二輪３２に乗る運転者は、後部位置３３に冷却駆動装置４３を着脱固定部材３０によって取り付けるとともに冷却服１を着る。次いで、冷却駆動装置４３内の冷却液収容室８内に水等の冷却液を入れる。
そして、接続部１３によって冷却管２ａと冷却管２ｂを接続する。接続したことをスイッチ１５が検出すると（又は駆動スイッチを別途設けた構成において、駆動スイッチをＯＮにすると）、自動二輪３２のバッテリー４８から電力が供給され、冷媒は冷媒通路９を循環して熱吸収冷媒管部９ａによって冷却液収容室８内を冷却する。一方、冷却液は直接的に熱吸収冷媒管部９ａに接触する形態なので、熱吸収が良好に行なわれ、冷却された冷却液は冷却管２ａ・２ｂを循環して冷却服１内を冷却する。これが基本的な動作である。
【００３７】
ここで、内部の水を凍らせたペットボトル１８などを冷却液収容室８に載置すれば、冷却液収容室８の冷却液は内側からはペットボトル１８の氷の溶解熱によって温度を奪われ、外側からは冷媒通路９内の冷媒の循環によって冷却されるので、冷却服１を使用する最初の段階から冷たい感じを得るクイックスタートが実現できる。
この場合においても、収容空間２４は熱吸収冷媒管部９ａとは区画部材１９によって区画されているので、収容物１８が自動二輪３２の振動や加速度によって移動しても熱吸収冷媒管部９ａと衝突することもない。
このクイックスタートの実現には、他にも冷却液収容室８内に氷水自体を入れることによっても、さらに良好に実現できる。氷水を入れた場合でも、収容物１８と同様に、熱吸収冷媒管部９ａと氷水は区画部材１９によって別の空間に区画されるので、氷が衝突するなどの不都合を防止できる。
【００３８】
なお、冷却液収容室８内の収容空間２４にペットボトル１８ａなどの収容物１８を置いた場合には、熱吸収冷媒管部９ａによって冷却された冷却液の温度は収容物１８に伝導して収容物１８の温度を下げることができる。この場合、収容物１８を熱吸収冷媒管部９ａが囲い込むように配設され、しかも冷却液収容室８内の外方側に真空室２６（広義には断熱部材である）が設けられているので、収容物１８の冷却を良好に行うことができる。
したがって、冷却服１によって暑さを低減するとともに、自動二輪３２の運転者に冷たい飲み物や食べ物等を提供できる。また、自動二輪３２によって低い温度で収容物１８を運搬できる。
【００３９】
また、収容物１８を区画する区画部材１９の形状や固定部材１９による固定構造を他の飲用物容器の各定型サイズ（５００ｍｌなど）に合致させることによって、収容物１８を自動二輪３２の運転時に運転者が適時、飲用物などの冷気を得る方法としても利用することができる。
さらに、コネクタ具１４ｂの磁石４９を冷却服１側の磁石５１を取り付ける構成を採用した場合には、自動二輪に乗車する運転者が移動する場合に前記の好ましくない状態の発生を防止することができる。
【００４０】
［第２実施形態］
図５に示す冷却駆動装置４３は、冷却液収容室８に収容するペットボトル１８ａ等の容器を横置きに設置する形態を示した実施形態である。
この場合は横置きのペットボトル１８ａを出し入れできるように、冷却駆動装置４３には、横長かつ縦短（上下方向が短い）の冷却液収容室８が形成される。また、熱吸収冷媒管部（図５において図示せず）はペットボトル１８ａを横置きで包み込むことができるように構成されている。
さらに、ペットボトル１８ａの側面に対応する横長形に上部開口２８を備えた収容空間２４が設定され、その収容空間２４の形状に対応した開閉自在の蓋部などの開閉部２５が設けられている。
この実施形態では、自動二輪３２が走行時に発生する風５０をフード２７内に導く風上位置に配置された送風口３７と、その風５０を放熱機及び／又はコンプレッサの回りに導く送風路３４が設けられている。
この構成であれば、自動二輪３２の走行によって生じた風５０を送風路３４によって冷媒の熱交換効率を向上させることや、コンプレッサの加熱を抑制することに利用することができる。この場合、送風口３７から雨水が入らないように雨水を下方に落下させる折返し構造を設けたりすることが好ましい。
【００４１】
本発明は上記実施形態以外にも本発明の要旨を変更しない範囲で種々の変形を行うことが可能である。
（１）冷却液収容室８に載置する容器としてペットボトルを例示したが、自動二輪に搭載する冷却装置に好適な形を備えた液体容器を専用に製造することも可能である。また、収容物１８として菌種などの生物、低温で運ぶことが望ましい素材・原料・材料などを収容する運搬容器を載置する形態を取ることもできる。
（２）本発明は自動二輪の乗車者に冷却服を提供する冷却服装置に好適なものであるが、自動二輪に類似する移動体に乗る場合や、冷却駆動装置４３をリュックサック形に背負う形の冷却服装置４５に適用することを除外するものではない。
【００４２】
（３）前記実施形態では収容物１８として１本のペットボトル１８ａを配置した構成を示したが、２個又は３個の収容物１８を縦置き又は横置きで配置できる収容空間２４を設けることも可能である。但し、自動二輪３２に乗る運転者が普通に購入できるペットボトル１８ａの大きさ及び形状に設計することが好ましい。
（４）流線形のフード２７に開口（図示せず）を設け、その開口から開閉部２５の上部域を突出させた構成とすることもできる。
（５）前記実施形態において収容物１８内の凍らせた水を飲用の用途ではなく、冷却液の一部として使用する構成も採用することができる。例えば、破裂することなく、水を凍らせることのできる変形許容性のある氷水運搬容器を採用し、その氷水運搬容器の蓋などの開口を開いて収容空間２４内に固定するように区画部材１９を構成すればよい。収容空間２４内で氷水運搬容器を冷却液に浸漬させる形態としては、氷水運搬容器は横置きでも縦置きでも可能である。氷水運搬容器内部の氷水と冷却液収容室８内の水とが混ざることで良好なクイックスタートを実現できる。この場合、氷水運搬容器内部の氷水だけで冷却液収容室８内の冷却水を構成することも可能であり、いずれの構成においても使用者はクイックスタートを実現するための氷水の運搬が簡単になる利点がある。
（６）請求項４に係る発明は、スイッチ１４を冷却装置４５と冷却服１との間の接続、非接続を判別するスイッチだけの構成として、請求項１〜請求項３のいずれにも従属しない独立の発明として認識することも可能である。
【符号の説明】
【００４３】
１…冷却服
２ａ…冷却駆動装置側の冷却管
２ｂ…冷却服側の冷却管
２…冷却管
８…冷却液収容室
９…冷媒通路
９ａ…熱吸収冷媒管部
１０…放熱機
１１…コンプレッサ
１２…ポンプ
１３…接続部
１４ｂ…冷却服側のコネクタ具
１５…スイッチ
１８…収容物
１９…区画部材（固定部材、区画壁という概念は区画部材に含まれる形態がある）
２４…収容空間
２５…開閉部
２６…真空室
２７…フード
３０…着脱固定部材
３２…自動二輪
３４…送風路
３７…送風口
４３…冷却駆動装置
４９…コネクタ具に取り付けられる磁石
５０…走行時に発生する風
５１…冷却服側の磁石
【図１】
2015145745.tif 000003
【図２】
2015145745.tif 000004
【図３】
2015145745.tif 000005
【図４】
2015145745.tif 000006
【図５】
2015145745.tif 000007
【図６】
2015145745.tif 000008